【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
第２のモデム（３０４）を用いて第１のモデム（３０２）を訓練するための訓練時間を低減するために、該第１のモデム（３０２）によって用いられる訓練方法であって、該訓練時間は、能力交換フェーズ時間と、プロービングフェーズ時間と、障害学習フェーズ時間と、コンステレーションフェーズ時間とを含み、該第１のモデム（３０２）は、Ｖ．８ｂｉｓ能力交換フェーズを含むＶ．９０モデムプロトコルに従って、通信チャンネル（３０６）を介して、該第２のモデム（３０４）を用いて訓練することが可能であり、該第１のモデム（３０２）は、該第２のモデム（３０４）からコールを受信することにより、該通信チャンネル（３０６）を確立し、
該訓練方法は、
該コールに応答して、該Ｖ．９０モデムプロトコル（４０６）の改変されたＶ．８ｂｉｓ能力交換フェーズを開始するステップであって、該Ｖ．９０モデムプロトコル（４０６）の改変されたＶ．８ｂｉｓ能力交換フェーズは、高速接続能力を示す、ステップと、
該高速接続能力に応答して、該第２のモデム（３０４）から高速接続能力識別子（４０８）を受信するステップと、
該Ｖ．９０モデムプロトコルのＶ．８ｂｉｓ能力交換フェーズのうちの少なくとも一部をスキップすることにより、該能力交換フェーズ時間を低減するステップであって、該高速接続能力識別子（４０８）を受信したことに応答して実行されるステップと
を包含する、方法。
【請求項２】
前記通信チャンネルの特性が、以前に確立された通信チャンネルに関連付けられた対応する特性と類似しているか否かを判定するステップと、
１つ以上の格納されているパラメータを用いて前記訓練時間を低減することにより、該通信チャンネルを確立するステップと
をさらに包含し、
該判定するステップは、
前記第２のモデムから信号ポイントシーケンスを受信するステップと、
該信号ポイントシーケンスの属性と該以前に確立された通信チャンネルに関連付けられた以前に受信されたシーケンスの格納されている属性とを比較するステップと
を包含し、
該１つ以上の格納されているパラメータは、１つ以上の以前に確立された通信チャンネルに関連付けられている、請求項１に記載の方法。
【請求項３】
前記信号ポイントシーケンスは、パルスコード変調信号ポイントのシーケンスを含む、請求項２に記載の方法。
【請求項４】
前記信号ポイントシーケンスは、予め決められており、前記第１のモデムおよび前記第２のモデムにおいて既知である、請求項２に記載の方法。
【請求項５】
前記以前に確立された通信チャンネルに関連付けられた格納されているパラメータの数に応答して、前記第１のモデムおよび前記第２のモデムのうちの少なくとも１つを初期化するステップをさらに包含し、
該初期化するステップのうちの少なくとも一部は、初期データ速度で実行され、
前記方法は、フルデータ速度で、データモードに入るステップをさらに包含し、
該入るステップは、該初期化するステップの後に実行される、請求項２に記載の方法。
【請求項６】
移行シーケンスにおいて前記第１のモデムによって用いられる少なくとも１つの信号ポイントを識別するステップをさらに包含し、該少なくとも１つの信号ポイントは、前記通信チャンネルにおけるデジタル障害の存在を強調表示することが可能である、請求項１に記載の方法。
【請求項７】
ある期間中に最終訓練を行うステップであって、前記スキップするステップの後に実行されるステップと、
該期間中に前記第２のモデムと認証情報を交換するステップと
をさらに包含する、請求項１に記載の方法。
【請求項８】
前記交換するステップは、パスワード認証プロトコル「ＰＡＰ」に従って、または、チャレンジハンドシェーク認証プロトコル「ＣＨＡＰ」に従って実行される、請求項７に記載の方法。
【請求項９】
前記以前の特性が前記通信チャンネルの対応する特性と類似していると前記判定するステップが判定した場合、前記Ｖ．９０モデムプロトコルのデジタル障害フェーズのうちの少なくとも一部をスキップするステップをさらに包含する、請求項２に記載の方法。
【請求項１０】
第２のモデム（３０４）を用いて訓練するための訓練時間を低減することが可能な第１のモデム（３０２）であって、該訓練時間は、能力交換フェーズ時間と、プロービングフェーズ時間と、障害学習フェーズ時間と、コンステレーションフェーズ時間とを含み、該第１のモデム（３０２）は、Ｖ．８ｂｉｓ能力交換フェーズを含むＶ．９０モデムプロトコルに従って、通信チャンネル（３０６）を介して、該第２のモデム（３０４）を用いて訓練することが可能であり、該第１のモデム（３０２）は、該第２のモデムからコールを受信することにより、該通信チャンネルを確立するように構成された受信器セクション（３１８）を含み、
該第１のモデムは、
該コールに応答して、該Ｖ．９０モデムプロトコルの改変されたＶ．８ｂｉｓ能力交換フェーズを送信するように構成された送信器セクション（３１６）であって、該Ｖ．９０モデムプロトコルの改変されたＶ．８ｂｉｓ能力交換フェーズは、高速接続能力を示す、送信器セクション（３１６）を備え、
該受信器セクションは、該高速接続能力に応答して、該第２のモデム（３０４）から高速接続能力識別子を受信するようにさらに構成されており、
該送信器セクション（３１６）は、該受信器セクション（３１８）が該高速接続能力識別子を受信したことに応答して、該Ｖ．９０モデムプロトコルのＶ．８ｂｉｓ能力交換フェーズのうちの少なくとも一部をスキップすることにより、該能力交換フェーズ時間を低減するようにさらに構成されている、第１のモデム。
【請求項１１】
以前に確立された通信チャンネルに関連付けられた以前のチャンネル特性を格納するように構成されたメモリ素子と、
該以前に確立された通信チャンネルの以前のチャンネル特性が、前記通信チャンネルの対応するチャンネル特性と類似しているか否かを判定するように構成されたプロセッサ素子と
をさらに備え、
該以前のチャンネル特性が、前記通信チャンネルの対応するチャンネル特性と類似しているとの判定に応答して、該プロセッサ素子は、１つ以上の格納されているパラメータを用いて前記訓練時間を低減することにより、該通信チャンネルを確立するようにさらに構成されており、
前記受信器セクションは、前記第２のモデムによって送信された信号ポイントシーケンスに関連する受信されたシーケンスを取得するように構成されており、
該プロセッサ素子は、該受信されたシーケンスの属性と該以前に確立された通信チャンネルに関連付けられた以前に受信されたシーケンスの格納されている属性とを比較するように構成されている、請求項１０に記載の第１のモデム。
【請求項１２】
前記送信器セクションは、移行シーケンスにおいて前記第２のモデムによって用いられる少なくとも１つの信号ポイントを識別する信号ポイント識別子を送信するようにさらに構成されており、該少なくとも１つの信号ポイントは、現在の通信チャンネルにおけるデジタル障害の存在を強調表示することが可能である、請求項１１に記載の第１のモデム。
【請求項１３】
前記プロセッサ素子は、初期データ速度で前記受信器セクションを訓練し、第１の期間中に前記第２のモデムと認証情報を交換するようにさらに構成されており、該第２のモデムとの認証情報の交換は、前記以前のチャンネル特性が前記通信チャンネルの対応するチャンネル特性と類似していると該プロセッサ素子が判定した場合に生じる、請求項１１に記載の第１のモデム。
【請求項１４】
前記認証情報の交換は、パスワード認証プロトコル「ＰＡＰ」に従って、または、チャレンジハンドシェーク認証プロトコル「ＣＨＡＰ」に従って実行される、請求項１３に記載の第１のモデム。
【請求項１５】
前記受信器セクションは、スクランブルされたデジタルデータが前記第２のモデムによって送信されたことに応答して、訓練され、
前記認証情報は、該スクランブルされたデジタルデータに関連付けられている、請求項１３に記載の第１のモデム。
【請求項１６】
前記プロセッサ素子は、前記以前のチャンネル特性が前記通信チャンネルの第２のチャンネル特性と類似している場合、前記Ｖ．９０モデムプロトコルのデジタル障害フェーズのうちの少なくとも一部をスキップするようにさらに構成されている、請求項１１に記載の第１のモデム。
【請求項１７】
コンピュータソフトウェアプロダクトを含むコンピュータ読み取り可能媒体であって、該コンピュータソフトウェアプロダクトは、第１のモデム（３０２）におけるプロセッサによって実行可能であり、かつ、第２のモデム（３０４）を用いて該第１のモデム（３０２）を訓練するための訓練時間を低減する方法を実行するために該第１のモデム（３０２）によって用いられ、該訓練時間は、能力交換フェーズ時間と、プロービングフェーズ時間と、障害学習フェーズ時間と、コンステレーションフェーズ時間とを含み、該第１のモデム（３０２）は、Ｖ．８ｂｉｓ能力交換フェーズを含むＶ．９０モデムプロトコルに従って、通信チャンネル（３０６）を介して、該第２のモデム（３０４）を用いて訓練することが可能であり、該第１のモデム（３０２）は、該第２のモデム（３０４）からコールを受信することにより、該通信チャンネル（３０６）を確立し、
該方法は、
該コールに応答して、該Ｖ．９０モデムプロトコル（４０６）の改変されたＶ．８ｂｉｓ能力交換フェーズを開始することであって、該Ｖ．９０モデムプロトコル（４０６）の改変されたＶ．８ｂｉｓ能力交換フェーズは、高速接続能力を示す、ことと、
該高速接続能力に応答して、該第２のモデムから高速接続能力識別子（４０８）を受信することと、
該Ｖ．９０モデムプロトコルのＶ．８ｂｉｓ能力交換フェーズのうちの少なくとも一部をスキップすることにより、該能力交換フェーズ時間を低減することであって、該高速接続能力識別子（４０８）を受信したことに応答して実行されることと
を包含する、コンピュータ読み取り可能媒体。
【請求項１８】
前記方法は、
前記通信チャンネルの特性が、以前に確立された通信チャンネルに関連付けられた対応する特性と類似しているか否かを判定することと、
１つ以上の格納されているパラメータを用いて前記訓練時間を低減することにより、該通信チャンネルを確立することと
をさらに包含し、
該判定することは、
前記第２のモデムから信号ポイントシーケンスを受信することと、
該信号ポイントシーケンスの属性と該以前に確立された通信チャンネルに関連付けられた以前に受信されたシーケンスの格納されている属性とを比較することと
を包含し、
該１つ以上の格納されているパラメータは、１つ以上の以前に確立された通信チャンネルに関連付けられている、請求項１７に記載のコンピュータ読み取り可能媒体。
【請求項１９】
前記信号ポイントシーケンスは、パルスコード変調信号ポイントのシーケンスを含む、請求項１８に記載のコンピュータ読み取り可能媒体。
【請求項２０】
前記信号ポイントシーケンスは、予め決められており、前記第１のモデムおよび前記第２のモデムにおいて既知である、請求項１８に記載のコンピュータ読み取り可能媒体。
【請求項２１】
前記方法は、
前記以前に確立された通信チャンネルに関連付けられた格納されているパラメータの数に応答して、前記第１のモデムおよび前記第２のモデムのうちの少なくとも１つを初期化することをさらに包含し、
該初期化することのうちの少なくとも一部は、初期データ速度で実行され、
該方法は、フルデータ速度で、データモードに入ることをさらに包含し、
該入ることは、該初期化することの後に実行される、請求項１８に記載のコンピュータ読み取り可能媒体。
【請求項２２】
前記方法は、
移行シーケンスにおいて前記第１のモデムによって用いられる少なくとも１つの信号ポイントを識別することをさらに包含し、
該少なくとも１つの信号ポイントは、前記通信チャンネルにおけるデジタル障害の存在を強調表示することが可能である、請求項１７に記載のコンピュータ読み取り可能媒体。
【請求項２３】
前記方法は、
ある期間中に最終訓練を行うことであって、前記スキップすることの後に実行されることと、
該期間中に前記第２のモデムと認証情報を交換することと
を包含する、請求項１７に記載のコンピュータ読み取り可能媒体。
【請求項２４】
前記交換することは、パスワード認証プロトコル「ＰＡＰ」に従って、または、チャレンジハンドシェーク認証プロトコル「ＣＨＡＰ」に従って実行される、請求項２３に記載のコンピュータ読み取り可能媒体。
【請求項２５】
前記方法は、
前記以前の特性が前記通信チャンネルの対応する特性と類似していると前記判定することが判定した場合、前記Ｖ．９０モデムプロトコルのデジタル障害フェーズのうちの少なくとも一部をスキップすることを包含する、請求項１８に記載のコンピュータ読み取り可能媒体。
【請求項２６】
通信リンクを介して第２のモデムと通信する第１のモデムによって用いられる通信方法であって、
該通信方法は、
該第１のモデムにより、中央オフィスから警告信号を受信するステップと、
該警告信号に応答して、該第１のモデムにより第１の音を送信するステップと、
該警告信号を受信するステップの後、該第１のモデムにより、該第２のモデムから第２の音を受信するステップと、
該第２の音を受信するステップの間、該第１のモデムにより、該第２のモデムに第３の音を送信するステップと、
該第３の音を送信するステップの後、かつ、該第２の音を受信するステップの間、該第１のモデムにより、該第２のモデムに保留リクエストを送信するステップと
を包含する、通信方法。
【請求項２７】
前記第３の音は、２４００Ｈｚ音である、請求項２６に記載の通信方法。
【請求項２８】
前記第２の音は、１２００Ｈｚ音である、請求項２６に記載の通信方法。
【請求項２９】
前記保留リクエストに応答して、前記第１のモデムにより、前記第２のモデムから返答を受信するステップをさらに包含する、請求項２６に記載の通信方法。
【請求項３０】
通信リンクを介して第２のモデムと通信する第１のモデムによって用いられる通信方法であって、
該通信方法は、
該第１のモデムにより、該通信リンクにおける中断を検出するステップであって、該中断は、中央オフィスが警告信号を該第２のモデムに送信したことによって生じる、ステップと、
該中断に応答して、該第１のモデムにより、第１の音を送信するステップと、
該第１の音を送信するステップの間、該第１のモデムにより、該第２のモデムから第２の音を受信するステップと、
該第２の音を受信するステップの後、かつ、該第１の音を送信するステップの間、該第１のモデムにより、該第２のモデムから保留リクエストを受信するステップと
を包含する、通信方法。
【請求項３１】
前記第１の音は、１２００Ｈｚ音である、請求項３０に記載の通信方法。
【請求項３２】
前記第２の音は、２４００Ｈｚ音である、請求項３０に記載の通信方法。
【請求項３３】
前記保留リクエストに応答して、前記第１のモデムにより、前記第２のモデムに返答を送信するステップをさらに包含する、請求項３０に記載の通信方法。
【請求項３４】
第２のモデムとの通信のための第１のモデムであって、
該第１のモデムは、
中央オフィスからの警告信号を検出することが可能な受信器であって、該警告信号を受信した後、該第２のモデムから第１の音を受信する受信器と、
該警告信号に応答して、第２の音を送信することが可能な送信器と
を備え、
該受信器が該第１の音を受信している間、該警告信号を検出した結果として、該送信器は、第３の音とそれに続くリクエストとを該第２のモデムに送信することがさらに可能であり、
該リクエストは、該通信を保留にするためである、第１のモデム。
【請求項３５】
前記警告信号は、コール元ＩＤ音である、請求項３４に記載の第１のモデム。
【請求項３６】
前記第３の音は、２４００Ｈｚ音である、請求項３４に記載の第１のモデム。
【請求項３７】
前記第２の音は、音Ｄである、請求項３４に記載の第１のモデム。
【請求項３８】
前記リクエストは、ＤＰＳＫ信号である、請求項３４に記載の第１のモデム。
【請求項３９】
前記第１の音は、１２００Ｈｚ音である、請求項３４の第１のモデム。
【請求項４０】
前記受信器は、前記リクエストに応答して、前記第２のモデムから返答を受信することがさらに可能である、請求項３４に記載の第１のモデム。
【請求項４１】
前記返答は、肯定応答である、請求項４０に記載の第１のモデム。
【請求項４２】
前記返答は、拒否である、請求項４０に記載の第１のモデム。
【請求項４３】
前記返答は、切断リクエストである、請求項４０に記載の第１のモデム。
【請求項４４】
前記返答は、クイック再接続リクエストである、請求項４０に記載の第１のモデム。
【請求項４５】
第２のモデムとの通信のための第１のモデムであって、
該第１のモデムは、
該通信における中断を検出することが可能な受信器であって、該中断は、中央オフィスが警告信号を該第２のモデムに送信したことによって生じる、受信器と、
該中断を検出した結果、第１の音を該第２のモデムに送信することが可能な送信器と
を備え、
該送信器が該第１の音を該第２のモデムに送信している間、該中断を検出した後、該受信器は、第２の音とそれに続くリクエストとを該第２のモデムから受信し、
該リクエストは、該通信を保留にするためである、第１のモデム。
【請求項４６】
前記第１の音は、１２００Ｈｚ音である、請求項４５に記載の第１のモデム。
【請求項４７】
前記第２の音は、２４００Ｈｚ音である、請求項４５の第１のモデム。
【請求項４８】
前記リクエストは、ＤＰＳＫ信号である、請求項４５に記載の第１のモデム。
【請求項４９】
前記送信器は、前記リクエストに応答して、前記第２のモデムに返答を送信することがさらに可能である、請求項４５に記載の第１のモデム。
【請求項５０】
前記返答は、肯定応答である、請求項４９に記載の第１のモデム。
【請求項５１】
前記返答は、拒否である、請求項４９に記載の第１のモデム。
【請求項５２】
前記返答は、切断リクエストである、請求項４９に記載の第１のモデム。
【請求項５３】
前記返答は、クイック再接続リクエストである、請求項４９に記載の第１のモデム。